(57)【特許請求の範囲】
【請求項１】
前壁と底壁と後壁とから成る溝状の樋本体の前記前壁と前記後壁の上端部に、樋受け具に係止する係止部が設けられている軒樋において、前記樋本体の前壁は、前記底壁の前端部から前方へ上り傾斜状態で連設する前傾下壁部と、この前傾下壁部の上端部から後方へ上り傾斜状態で連設する後傾上壁部とを有する断面くの字状に形成されて、この後傾上壁部の上端部に前記係止部が設けられており、この樋本体は、前記後壁を軒先の鼻板や破風板などの取付板部に沿設状態に配設する第一使用態様と、前記前壁の後傾上壁部を前記取付板部に沿設状態に配設して，この後傾上壁部を後壁として機能させ，前記前傾下壁部を底壁として機能させ，前記底壁を前壁の前傾下壁部として機能させ，前記後壁を前壁の後傾上壁部として機能させる第二使用態様とを、樋本体の取付向きを変更することにより選択可能に構成され、前記後壁の上下幅寸法を、前記前壁の後傾上壁部の上下幅寸法と異ならせて、前記第一使用態様の樋本体の高さと、前記第二使用態様の樋本体の高さとが異なる高さとなるように構成されていて、前記樋本体は、前記第一使用態様の前記後傾上壁部に設けた前記係止部の位置と、前記第二使用態様の前記後傾上壁部として機能する前記後壁に設けた係止部の位置とを一致させた際に、前記第一使用態様の前記後壁に設けた前記係止部の位置と、前記第二使用態様の前記後壁として機能する前記後傾上壁部に設けた前記係止部の位置とが一致する形状に形成されていることを特徴とする軒樋。
【請求項２】
前記樋本体は、前記後傾上壁部の下端部と前記前傾下壁部の上端部とが９０度の角度で連設し、この前傾下壁部の下端部と前記底壁の前端部とが１２０度の角度で連設し、この底壁の後端部と前記後壁の下端部とが９０度の角度で連設する形状に形成されていることを特徴とする請求項１記載の軒樋。
【請求項３】
前記樋本体は、前記第一使用態様では、前記前壁の後傾上壁部が屋根勾配と等しい傾斜を有するか若しくは屋根勾配に近い傾斜を有する形状に形成され、前記第二使用態様では、前壁の後傾上壁部として機能する前記後壁が屋根勾配と等しい傾斜を有するか若しくは屋根勾配に近い傾斜を有する形状に形成されていることを特徴とする請求項１，２のいずれか１項に記載の軒樋。
【発明の詳細な説明】
【技術分野】
【０００１】
本発明は、建物の軒先に設備される軒樋に関するものである。
【背景技術】
【０００２】
建物の屋根軒先には軒樋が設けられているが、この軒樋は、前壁と後壁と底壁とを有する溝状であって、前壁と後壁の上端部に、樋受け具に係止する係止部が設けられている構成のものが多い（例えば、特許文献１参照。）。
【先行技術文献】
【特許文献】
【０００３】
【特許文献１】特開２０１５−１０１８６９号公報
【発明の概要】
【発明が解決しようとする課題】
【０００４】
軒樋は、建物の鼻板や破風板などの取付板部に取付けられた樋受け具を介して軒先に固定されるが、前記取付板部の高さは建物によって異なり、この取付板部の高さより低い軒樋を設備してしまうと、軒樋の下方に取付板部が露出して軒先の見栄えが悪くなる。
【０００５】
そのため、取付板部に高さのある建物においては、軒樋の高さを取付板部の高さに合せた深型として取付板部が見えないように隠したいが、深型で厚みが増した軒樋も見栄えが良いとは言えないために、結局軒先の外観が損なわれてしまう。
【０００６】
本発明は、このような軒樋の問題点に鑑み、これを解決しようとするもので、深型に構成しても軒先の外観を良好に保つことができると共に、一つの軒樋で異なる二種類の高さの使用態様を実現可能となる極めて実用性に優れた軒樋を提供するものである。
【課題を解決するための手段】
【０００７】
添付図面を参照して本発明の要旨を説明する。
【０００８】
前壁２と底壁５と後壁６とから成る溝状の樋本体１の前記前壁２と前記後壁６の上端部に、樋受け具８に係止する係止部７が設けられている軒樋において、前記樋本体１の前壁２は、前記底壁５の前端部から前方へ上り傾斜状態で連設する前傾下壁部３と、この前傾下壁部３の上端部から後方へ上り傾斜状態で連設する後傾上壁部４とを有する断面くの字状に形成されて、この後傾上壁部４の上端部に前記係止部７が設けられており、この樋本体１は、前記後壁６を軒先の鼻板や破風板などの取付板部９に沿設状態に配設する第一使用態様Ａ１と、前記前壁２の後傾上壁部４を前記取付板部９に沿設状態に配設して，この後傾上壁部４を後壁６Ａとして機能させ，前記前傾下壁部３を底壁５Ａとして機能させ，前記底壁５を前壁２Ａの前傾下壁部３Ａとして機能させ，前記後壁６を前壁２Ａの後傾上壁部４Ａとして機能させる第二使用態様Ａ２とを、樋本体１の取付向きを変更することにより選択可能に構成され、前記後壁６の上下幅寸法を、前記前壁２の後傾上壁部４の上下幅寸法と異ならせて、前記第一使用態様Ａ１の樋本体１の高さと、前記第二使用態様Ａ２の樋本体１の高さとが異なる高さとなるように構成されていて、前記樋本体１は、前記第一使用態様Ａ１の前記後傾上壁部４に設けた前記係止部７の位置と、前記第二使用態様Ａ２の前記後傾上壁部４Ａとして機能する前記後壁６に設けた係止部７の位置とを一致させた際に、前記第一使用態様Ａ１の前記後壁６に設けた前記係止部７の位置と、前記第二使用態様Ａ２の前記後壁６Ａとして機能する前記後傾上壁部４に設けた前記係止部７の位置とが一致する形状に形成されていることを特徴とする軒樋に係るものである。
【０００９】
また、前記樋本体１は、前記後傾上壁部４の下端部と前記前傾下壁部３の上端部とが９０度の角度で連設し、この前傾下壁部３の下端部と前記底壁５の前端部とが１２０度の角度で連設し、この底壁５の後端部と前記後壁６の下端部とが９０度の角度で連設する形状に形成されていることを特徴とする請求項１記載の軒樋に係るものである。
【００１０】
また、前記樋本体１は、前記第一使用態様Ａ１では、前記前壁２の後傾上壁部４が屋根10勾配と等しい傾斜を有するか若しくは屋根10勾配に近い傾斜を有する形状に形成され、前記第二使用態様Ａ２では、前壁２Ａの後傾上壁部４Ａとして機能する前記後壁６が屋根10勾配と等しい傾斜を有するか若しくは屋根10勾配に近い傾斜を有する形状に形成されていることを特徴とする請求項１，２のいずれか１項に記載の軒樋に係るものである。
【発明の効果】
【００１１】
本発明は上述のように構成したから、たとえ深型の樋本体を構成しても、前傾下壁部と後傾上壁部とを有する断面くの字状の前壁がエッジの効いたシャープな印象を呈すると共に、前傾下壁部と後傾上壁部を同色に構成したとしても、日光の当たり方の違いで異なる着色（ツートーンカラー）が施された前壁のようにも見えるなど、軒先の外観が非常に体裁良好となり、また、最近は、直線を基調とした箱形の住宅建物も増えてきているが、この箱形住宅にも違和感なく調和するデザインの軒樋となり、しかも本発明は、後壁を取付板部に沿設状態に配設する第一使用態様と、樋本体の取付向きを変更して前壁の後傾上壁部を取付板部に沿設状態に配設する第二使用態様を選択することができ、この第一使用態様の樋本体と第二使用態様の樋本体とは高さが異なるため、本発明品一つで二種類の高さの使用態様を実現できるなど、極めて実用性に優れた軒樋となる。
【００１２】
また、本発明においては、第一使用態様と第二使用態様とを一種類の樋受け具で取付けることも可能であり、これにより、例えば予め軒先の取付板部に固定された樋受け具に対して、現場で施主の好み等に応じて第一使用態様と第二使用態様とを付け替えることも可能となるなど、一層実用性に優れた構成の軒樋となる。
【００１３】
すなわち、一種類の樋受け具であってもまた後述する実施例２のように異なる樋受け具であっても、軒樋に対する係止位置が同じであれば、単に反転して付け替えることが可能で前述のとおりその高さが異なる使用態様に切り替え可能となるなど、極めて実用性に優れた軒樋となる。
【００１４】
また、請求項２記載の発明においては、前記作用・効果を確実に発揮する樋本体を簡易構成により容易に設計実現可能となる一層実用性に優れた構成の軒樋となる。
【００１５】
また、請求項３記載の発明においては、第一使用態様も第二使用態様も、樋本体が屋根と一体化しているようにも見えて軒先の外観が一層良好となる極めて実用性に優れた構成の軒樋となる。
【図面の簡単な説明】
【００１６】
【図１】実施例１の第一使用態様での使用状態を示す概略説明斜視図である。
【図２】実施例１の第一使用態様での使用状態を示す説明拡大側断面図である。
【図３】実施例１の第二使用態様での使用状態を示す説明拡大側断面図である。
【図４】実施例２の第一使用態様での使用状態を示す説明拡大側断面図である。
【図５】実施例２の第二使用態様での使用状態を示す説明拡大側断面図である。
【発明を実施するための形態】
【００１７】
好適と考える本発明の実施形態を、図面に基づいて本発明の作用を示して簡単に説明する。
【００１８】
前壁２の後傾上壁部４の上端部の係止部７と、後壁６の上端部の係止部７を樋受け具８に係止して、後壁６を軒先の鼻板や破風板などの取付板部９に沿設状態に配設すると、軒先の外側に前壁２が配設する樋本体１の第一使用態様Ａ１となる。
【００１９】
また、この際、底壁５の前端部から前方へ上り傾斜状態で連設する前傾下壁部３と、この前傾下壁部３の上端部から後方へ上り傾斜状態で連設する後傾上壁部４とを有する断面くの字状の前壁２は、単なる立直壁（前壁）が軒先に表出する従来の軒樋とは異なり、軒先から前壁２が外方へ鋭く突出した外観を呈する。
【００２０】
そのため、たとえ高さのある取付板部９に対応させて深型の樋本体１を構成したとしても、軒先外方へ鋭く突出する前壁２によって樋本体１はエッジの効いたシャープな印象を醸し出し、厚みがあるようには見えにくい。
【００２１】
しかも、傾斜方向が異なる前傾下壁部３と後傾上壁部４とは、たとえ同色に構成したとしても、日光の当たり方が異なってくるために異なる着色（ツートーンカラー）が施されているかのようにも見えて体裁が良い。
【００２２】
即ち、化粧板などを別途設備することなく、本発明の軒樋を設備するだけで軒先の化粧効果が発揮される。
【００２３】
また、最近は、直線を基調とするローコストな箱形の住宅建物も増えてきているが、エッジの効いたシャープな印象を呈する本発明の軒樋は、このような箱形住宅に用いても、直線基調を崩さずに違和感なく調和することになる。
【００２４】
また、本発明の樋本体１は、前記第一使用態様Ａ１からこの樋本体１の取付向きを変更することにより、前記前壁２の後傾上壁部４を前記取付板部９に沿設状態に配設して、この後傾上壁部４を後壁６Ａとして機能させ、前記前傾下壁部３を底壁５Ａとして機能させ、前記底壁５を前壁２Ａの前傾下壁部３Ａとして機能させ、前記後壁６を前壁２Ａの後傾上壁部４Ａとして機能させる第二使用態様Ａ２を選択することができる。
【００２５】
この第二使用態様Ａ２を選択した場合、前記後壁６の上下幅寸法を、前記前壁２の後傾上壁部４の上下幅寸法と異ならせていることにより、この第二使用態様Ａ２の樋本体１は、前記第一使用態様Ａ１の樋本体１とは高さが異なる。
【００２６】
従って、本発明品一体で二種類の高さ寸法の軒樋として使用することが可能であり、軒樋設備現場の取付板部９の高さ寸法に応じて適当な高さの態様（第一使用態様Ａ１と第二使用態様Ａ２）を選択して使用可能である。
【実施例１】
【００２７】
本発明の具体的な実施例１について図１〜図３に基づいて説明する。
【００２８】
本実施例は、屋根10の軒先に沿って鼻板や破風板などの取付板部９の前方に配設される軒樋であって、帯状の金属板を折曲することにより、軒先の外側に配設する前壁２と、軒先の内側に配設する後壁６と、前壁２と後壁６の下端部間に架設する底壁５とが連設する溝状の樋本体１に構成されている。
【００２９】
また、本実施例の前壁２は、前記底壁５の前端部から前方へ上り傾斜状態で連設する平板状の前傾下壁部３と、この前傾下壁部３の上端部から後方へ上り傾斜状態で連設する平板状の後傾上壁部４とを有する断面くの字状に折曲形成されており、本実施例の底壁５と後壁６とは、ともに平板状に形成されている。
【００３０】
本実施例は、前記前壁２と前記後壁６の上端部に、樋受け具８に係止する係止部７が設けられている。
【００３１】
具体的には、前記前壁２の後傾上壁部４の上端部を側面視逆Ｖ字状に折曲することにより、このＶ字折曲部７が、後述する樋受け具８の外側支持部13と内側支持部14とのいずれにも係止可能な前記係止部７として構成され、また、前記後壁６の上端部を同様に側面視逆Ｖ字状に折曲することにより、このＶ字折曲部７が、樋受け具８の内側支持部14と外側支持部13とのいずれにも係止可能な前記係止部７として構成されている。
【００３２】
また、ここで本実施例の樋受け具８について説明すると、帯板状の樋受け具本体11の基端部に、建物軒先の鼻板や破風板などの取付板部９に固定するための固定片12が設けられ、樋受け具本体11の先端部に、樋本体１の前壁２（後傾上壁部４）の係止部７と、後壁６の係止部７とのいずれか一方を係止して支持するための前記外側支持部13が設けられ、樋受け具本体11の中ほどに、樋本体１の前壁２（後傾上壁部４）の係止部７と、後壁６の係止部７とのいずれか他方を係止して支持するための前記内側支持部14が設けられている。
【００３３】
また、本実施例の樋本体１は、前記後壁６の上下幅寸法を、前記前壁２の後傾上壁部４の上下幅寸法と異ならせている。
【００３４】
具体的には、後壁６の上下幅寸法が、後傾上壁部４の上下幅寸法より幅広となるように設定されている。更に詳しくは、後壁６の上下幅寸法が、後傾上壁部４の上下幅寸法の約２倍の幅寸法となるように設定されている。
【００３５】
また、本実施例の樋本体１は、側面視で前傾下壁部３の上下幅が最も幅広く、これに次いで後壁６の上下幅が幅広く、これに次いで底壁５の前後幅が幅広く、これに次いで後傾上壁部４の上下幅が幅広く（最も短く）なる形状に構成されている。
【００３６】
本実施例では、樋本体１は、図１，図２に示したような、前記後壁６を軒先の鼻板や破風板などの取付板部９に沿設状態に配設する使用態様（第一使用態様Ａ１）と、この第一使用態様Ａ１から、樋本体１を水平方向に１８０度反転させて取付向きを変更したあと、樋本体１の長さ方向を回転軸にして樋本体１を６０度ほど回転させて前傾下壁部３を水平状態とすることにより、図３に示したような、前記前壁２の後傾上壁部４を前記取付板部９に沿設状態に配設して、この後傾上壁部４を後壁６Ａとして機能させ、前記前傾下壁部３を底壁５Ａとして機能させ、前記底壁５を前壁２Ａの前傾下壁部３Ａとして機能させ、前記後壁６を前壁２Ａの後傾上壁部４Ａとして機能させる使用態様（第二使用態様Ａ２）とを選択可能に構成されている。
【００３７】
また、この第一使用態様Ａ１と第二使用態様Ａ２とでは、前記後壁６の上下幅寸法と、前記前壁２の後傾上壁部４の上下幅寸法と異ならせたことによって、第一使用態様Ａ１の樋本体１の高さと、第二使用態様Ａ２の樋本体１の高さとが異なる高さとなるように構成されている。
【００３８】
具体的には、第一使用態様Ａ１の樋本体１は、第二使用態様Ａ２の樋本体１に比べて数ｃｍ（好ましくは２〜４ｃｍ）ほど高さが高くなるように構成されている。即ち、第一使用態様Ａ１は、高さのある前記取付板部９を具備する建物への使用に適し、第二使用態様Ａ２は、低めの取付板部９を具備する建物への使用に適するように構成されているもので、本実施例の軒樋一体で二種類の高さ寸法の軒樋として使用することが可能となる。
【００３９】
また、上記したように第一使用態様Ａ１と第二使用態様Ａ２とは高さが異なるものの、第一使用態様Ａ１の有効排水断面積と、第二使用態様Ａ２の有効排水断面積とは略同程度となるように前記樋本体１の形状が設定構成されている。
【００４０】
また、第一使用態様Ａ１及び第二使用態様Ａ２の前記樋受け具８への取付構造について説明すると、第一使用態様Ａ１では、樋本体１の後傾上壁部４の係止部７が樋受け具８の外側支持部13に係止すると共に、後壁６の係止部７が前記内側支持部14に係止して取付けられ、第二使用態様Ａ２では、樋本体１の後傾上壁部４（後壁６Ａ）の係止部７が樋受け具８の内側支持部14に係止すると共に、後壁６（後傾上壁部４Ａ）の係止部７が前記外側支持部13に係止して取付けられる。
【００４１】
ここで、本実施例の樋本体１について更に詳しく説明すると、後傾上壁部４の下端部と前傾下壁部３の上端部が９０度の角度をもって連設（後傾上壁部４と前傾下壁部３とがなす角の角度αを９０度に設定）し、この前傾下壁部３の下端部と底壁５の前端部が１２０度の角度をもって連設（前傾下壁部３と底壁５とがなす角の角度βを１２０度に設定）し、この底壁５の後端部と後壁６の下端部が９０度の角度をもって連設（底壁５と後壁６とがなす角の角度γを９０度に設定）する形状に形成されている。
【００４２】
また、後傾上壁部４の前記係止部７が後壁６の前記係止部７より上方に位置し、尚且つ後述する第二使用態様Ａ２とした際にも、後傾上壁部４Ａとして機能する後壁６の係止部７が後壁６Ａとして機能する後傾上壁部４の係止部７より上方に配置すると共に、第一使用態様Ａ１での後傾上壁部４の係止部７と後壁６の係止部７の配置関係と、第二使用態様Ａ２での後傾上壁部４の係止部７と後壁６の係止部７との配置関係とが同一の配置関係となる形状に、樋本体１が構成されている。
【００４３】
言い換えると、前記樋本体１は、前記第一使用態様Ａ１の前記後傾上壁部４に設けた前記係止部７の位置と、前記第二使用態様Ａ２の前記後傾上壁部４Ａとして機能する前記後壁６に設けた係止部７の位置とを一致させた際に、前記第一使用態様Ａ１の前記後壁６に設けた前記係止部７の位置と、前記第二使用態様Ａ２の前記後壁６Ａとして機能する前記後傾上壁部４に設けた前記係止部７の位置とが一致する形状に形成されている。
【００４４】
即ち、高さの異なる二通りの使用態様（第一使用態様Ａ１と第二使用態様Ａ２）を選択可能な構成でありながら、異なる二種類の樋受け具８が必要となるものではなく、第一使用態様Ａ１も第二使用態様Ａ２も、一種類（共通仕様）の樋受け具８によって取付支持できるように構成されている。これにより、予め軒先の取付板部９に固定される樋受け具８に対して、現場で実際の施工状態（軒先の外観）を目視しながら施主の好み等に応じて第一使用態様Ａ１と第二使用態様Ａ２とを付け替えるようなことも可能となる。
【実施例２】
【００４５】
本発明の具体的な実施例２について図４，図５に基づいて説明する。
【００４６】
本実施例は、軒樋（樋本体１）自体の構成は前記実施例１と同様であるが、樋本体１が、この樋本体１を三点支持状態で取付可能な樋受け具８により前記取付板部９に取付られている場合を示している。
【００４７】
具体的には、前記第一使用態様Ａ１の樋本体１の取付に用いる第一樋受け具８Ａと、前記第二使用態様Ａ２の樋本体１の取付に用いる第二樋受け具８Ｂとの二種類の樋受け具８が用いられている。即ち、前記実施例１では、第一使用態様Ａ１も第二使用態様Ａ２も一種類（共通仕様）の樋受け具８によって取付支持される場合を示したが、本実施例では、第一使用態様Ａ１が第一樋受け具８Ａによって取付支持され、第二使用態様Ａ２が第二樋受け具８Ｂによって取付支持される場合（二種類の異なる樋受け具８を用いて第一使用態様Ａ１と第二使用態様Ａ２とが取付支持される場合）を示している。
【００４８】
本実施例の第一樋受け具８Ａは、前記実施例１の樋受け具８において、前記樋受け具本体11の前記外側支持部13と前記内側支持部14との間に、第一使用態様Ａ１の樋本体１の前傾下壁部３の下端部と底壁５の前端部との連設角部の内壁を沿設支持する中間支持部15が垂設されている。
【００４９】
また、この中間支持部15は、第一使用態様Ａ１の樋本体１の後傾上壁部４の係止部７を第一樋受け具８Ａの外側支持部13に係止すると共に、後壁６の係止部７を前記内側支持部14に係止した際に、後傾下壁部３の下端部と底壁５の前端部との連設角部の内壁を沿設支持する（三点支持構造となる）ように垂設長が構成されている（図４参照）。
【００５０】
また、本実施例の第二樋受け具８Ｂは、前記第一樋受け具８Ａと同等の構成を具備し、高さのない第二使用態様Ａ２の樋本体１に合せて前記中間支持部15の垂設長が短く設定されている。
【００５１】
即ち、第二使用態様Ａ２の樋本体１の後傾上壁部４（後壁６Ａ）の係止部７をこの第二樋受け具８Ｂの内側支持部14に係止すると共に、後壁６（後傾上壁部４Ａ）の係止部７を前記外側支持部13に係止した際に、前記中間支持部15が後傾下壁部３Ａの下端部と底壁５Ａの前端部との連設角部の内壁を沿設支持する（三点支持構造となる）ように構成されている（図５参照）。
【００５２】
他の構成は、前記実施例１と同様である。
【００５３】
尚、本発明は、実施例１，２に限られるものではなく、各構成要件の具体的構成は適宜設計し得るものである。
【符号の説明】
【００５４】
１  樋本体
２  前壁
２Ａ  前壁
３  前傾下壁部
３Ａ  前傾下壁部
４  後傾上壁部
４Ａ  後傾上壁部
５  底壁
５Ａ  底壁
６  後壁
６Ａ  後壁
７  係止部
８  樋受け具
９  取付板部
10  屋根
Ａ１  第一使用態様
Ａ２  第二使用態様
【図１】
0006455822.tif 000002
【図２】
0006455822.tif 000003
【図３】
0006455822.tif 000004
【図４】
0006455822.tif 000005
【図５】
0006455822.tif 000006